(57)【要約】      （修正有）【課題】ハゼ付屋根により強固に固定することができ、引っ張り、荷重のいずれも従来より強力な取付具を提供する。【解決手段】ハゼの付根部の少なくとも一部を両側から挟持する一対のハゼ挟持部材１０と、ハゼ挟持部材１０の両外側に配置され、両側の段差部に嵌合する折板嵌合板を有する一対の折板嵌合部材４０と、一対のハゼ挟持部材１０及び一対の折板嵌合部材４０を締め付ける第１螺合部材９０と、ハゼ挟持部材１０及び折板嵌合部材４０は、上面がすべて重ね合わせてなり、これら重ねあわせられた上面の上方に配置される前記ソーラーパネルを固定するソーラーパネル載置板８０及び前記ソーラーパネルを上面から押圧する前記ソーラーパネル押圧部材８５と、これらをすべて固定する第２螺合部材９１と、を備えた。【選択図】図１
2015209676.tif 000002
【特許請求の範囲】
【請求項１】
ハゼを有する折板のハゼの両側の斜面部に段差部を有するハゼ式の屋根材に取り付けられる取付具において、
ハゼの付根部の少なくとも一部を両側から挟持する一対のハゼ挟持部材と、
前記ハゼ挟持部材の両外側に配置され、両側の前記段差部に嵌合する折板嵌合板を有する一対の折板嵌合部材と、
一対の前記ハゼ挟持部材及び一対の前記折板嵌合部材を締め付ける第１螺合部材と、
前記ハゼ挟持部材及び前記折板嵌合部材は、上面がすべて重ね合わせてなり、これら重ねあわせられた上面の上方に、屋根設置部材を取り付ける取付機構を有することを特徴とする取付具。
【請求項２】
前記折板嵌合部材のいずれか一方は、折板嵌合板を段差部に嵌合させた状態で、前記折板の前記斜面部から一部離間して配置されていることを特徴とすることを特徴とする請求項１記載の取付具。
【請求項３】
前記折板嵌合部材のいずれか他方は、折板の面に沿って形成されていることを特徴とする請求項１又は２に記載の取付具。
【請求項４】
前記折板嵌合部材に形成される第１螺合部材の貫通孔の周囲に、第１螺合部材の雄部材の頭と同じ又は若干小さい凹部が形成されていることを特徴とする請求項１から３のいずれか１項に記載の取付具。
【請求項５】
前記ハゼ挟持部材及び前記折板嵌合部材の上面に配置されるソーラーパネルを固定するソーラーパネル載置板及び前記ソーラーパネルを上面から押圧するソーラーパネル押圧部材と、これらをすべて固定する第２螺合部材と、
を備えたことを特徴とする１から４のいずれか１項に記載の取付具。
【請求項６】
前記ソーラーパネル載置板と前記ソーラーパネル押圧部材との間の第２螺合部材にばね部材が取り付けられていることを特徴とする請求項５に記載の取付具。
【請求項７】
前記ソーラーパネル載置板には、突起又は爪からなるアース部を備えていることを特徴とする請求項５又は６のいずれか１項に記載の取付具。
【請求項８】
前記ソーラーパネル載置板は、雨水を伝わせる下方折部が端部に設けられており、前記下方折部は、前記ハゼ挟持部材又は前記折板嵌合部材の上方より外側に配置されていることを特徴とする請求項５から７のいずれか１項に記載の取付具。
【発明の詳細な説明】
【技術分野】
【０００１】
本発明は、取付具に関し、特に、ハゼ式の折板屋根に取り付けられる取付具に関する。
【背景技術】
【０００２】
従来、外装パネルである太陽電池モジュールパネルを取り付ける取付装置として、屋根板材のハゼ部に取付固定されると共に、板材本体の上面に載置される固定部材と、前記固定部材上に載置されると共に、軒先側を前側方向、屋根板の頂部側を後側方向とした前後方向にスライド可能な位置決め台座と、前記位置決め台座上にスペーサ部材を介して設けられる受け金具と、この受け金具と共に太陽電池モジュールパネルを挟み込むように押さえて取り付ける押え金具とを備えるものが提案されている（特許文献１）。
【０００３】
しかし、折板のハゼで固定するのみでは、固定力が弱く、風による風圧や融雪による重みに耐えられず、外れてしまう可能性があった。
【先行技術文献】
【特許文献】
【０００４】
【特許文献１】特開２０１３−１７０３５３号公報
【発明の開示】
【発明が解決しようとする課題】
【０００５】
本発明はこうした課題を鑑みてなされたものであり、本発明の目的は、ハゼ付屋根により強固に固定することができ、引っ張り、荷重のいずれも従来より強力な取付具を提供することにある。
【課題を解決するための手段】
【０００６】
本発明は、上述の目的を達成するために、以下の手段を採った。
【０００７】
本発明にかかる取付具は、
ハゼを有する折板のハゼの両側の斜面部に段差部を有するハゼ式の屋根材に取り付けられる取付具において、
ハゼの付根部の少なくとも一部を両側から挟持する一対のハゼ挟持部材と、
前記ハゼ挟持部材の両外側に配置され、両側の前記段差部に嵌合する折板嵌合板を有する一対の折板嵌合部材と、
一対の前記ハゼ挟持部材及び一対の前記折板嵌合部材を締め付ける第１螺合部材と、
前記ハゼ挟持部材及び前記折板嵌合部材は、上面がすべて重ね合わせてなり、これら重ねあわせられた上面の上方に、屋根設置部材を取り付ける取付機構を有することを特徴とする。
【０００８】
かかる構成を採用することによって、ハゼ挟持部材は屋根材のハゼを固定することができ、折板嵌合板によって折板の斜面部を固定することができる。そのため、従来のようにハゼのみで固定している場合と比較してより強い引っ張り強さを有する。また、４つの重ねられた上面を有することに加え、折板嵌合部材は折板の斜面部に配置しているで、上からの荷重を折板の上面に加え斜面でも支持できるので、上からの荷重に関しても、より高い荷重圧力に耐えることができる。また、ハゼのみで固定している場合は、ハゼの付根が折れ曲がりやすいため、取付具が傾き易かったが、折板の斜面の段差部で固定できるので、取付具が傾斜することが低減される。
【０００９】
また、本発明にかかる取付具において、前記折板嵌合部材のいずれか一方は、折板嵌合板を段差部に嵌合させた状態で、前記折板の前記斜面部から一部離間して配置されていることを特徴とするものであってもよい。かかる構成を採用することによって、折板嵌合部材を第２螺合部材で締め込んだ際に、折板嵌合部材の弾性力によって折板嵌合板は強く段差部を押し付けることになる。そのため、隙間が発生することを防止でき、強固に段差部に固定することができる。また、このようにある程度、締め付けによって折り曲がるようにしておくことによって、ハゼ挟持部材まで確実に締め付ける力が加わるため、ハゼ挟持部材をも確実に固定することができる。
【００１０】
さらに、本発明にかかる取付具において、前記折板嵌合部材のいずれか他方は、折板の面に沿って形成されていることを特徴とするものであってもよい。かかる構成を採用することによって、一対の折板嵌合部材の他方側は、折板によって位置決めされるため、所定の位置に確実に固定することができる。
【００１１】
さらに、本発明にかかる取付具において、前記第１螺合部材は、雄部材の頭が多角形に形成されており、前記ハゼ挟持部材又は前記折板嵌合部材に形成される第１螺合部材の貫通孔の周囲に、第１螺合部材の雄部材の頭と同じ又は若干小さい凹部が形成されていることを特徴とするものであってもよい。かかる構成を採用することによって、第１螺合部材を締め付ける際に、雄部材の頭を凹部に押し込むことにより、雄部材の落下や回転が抑えられ、雄部材をレンチ等で固定することなく、雌部材側のみを操作するだけで固定することができる。
【００１２】
さらに、本発明にかかる取付具において、前記取付機構は、前記ハゼ挟持部材及び前記折板嵌合部材の上面に配置されるソーラーパネルを固定するソーラーパネル載置板及び前記ソーラーパネルを上面から押圧するソーラーパネル押圧部材と、これらをすべて固定する第２螺合部材と、を備えたことを特徴とするものであってもよい。かかる構成を採用することによって、ソーラーパネルを容易に固定することができる。
【００１３】
さらに、本発明にかかる取付具において、前記ソーラーパネル載置板と前記ソーラーパネル押圧部材との間の第２螺合部材にばね部材が取り付けられていることを特徴とするものであってもよい。かかる構成を採用することによって、ソーラーパネル載置板とソーラーパネル押圧部材は、第２螺合部材で固定する前においても水平状態を保ちやすくなるため、ソーラーパネルの配置、固定が容易になる。また、ソーラーパネルを片方のみ固定した場合であっても、ソーラーパネル押圧部材は、水平を保ち確実に固定することができる。
【００１４】
さらに、本発明にかかる取付具において、前記ソーラーパネル載置板には、突起又は爪からなるアース部を備えていることを特徴とするものであってもよい。かかる構成を採用することによって、取付具がアース部材として機能させることができる。
【００１５】
さらに、本発明にかかる取付具において、前記ソーラーパネル載置板は、雨水を伝わせる下方折部が端部に設けられており、前記下方折部は、前記ハゼ挟持部材又は前記折板嵌合部材の上方より外側に配置されていることを特徴とするものであってもよい。かかる構成を採用することによって、前記ハゼ挟持部材又は前記折板嵌合部材に直接雨が落下することによって、錆が発生することが低減される。
【発明の効果】
【００１６】
本発明にかかる取付具によれば、ハゼ付屋根により強力に固定することができる取付具を提供することができる。
【図面の簡単な説明】
【００１７】
【図１】実施形態にかかる取付具１００が屋根材１に取り付けられた状態を示す斜視図である。
【図２】実施形態にかかる取付具１００の正面、右側面及び上面を表す斜視図である。
【図３】実施形態にかかる取付具１００の背面、左側面及び下面を表す斜視図である。
【図４】実施形態にかかる取付具１００にソーラーパネル９を取り付けた状態を示す右側面図である。
【図５】実施形態にかかる取付具１００を屋根材１に取り付ける工程の一部を示す工程断面図である。
【図６】実施形態にかかる取付具１００を屋根材１に取り付けられた状態を示す断面図である。
【図７】取付具１００にソーラーパネル９を片方のみ取り付けた場合に、ソーラーパネル押圧部材８５にばね部材がない場合の状態を示す模式図である。
【図８】実施形態にかかる取付具１００に対して、架設部材８を取り付けた状態を示す斜視図である。
【発明を実施するための形態】
【００１８】
以下、本発明の実施形態について、図面に沿って詳細に説明する。なお、以下に説明する実施形態及び図面は、本発明の実施形態の一部を例示するものであり、これらの構成に限定する目的に使用されるものではない。また、各図において対応する構成要素には同一又は類似の符号が付されている。なお、以下の説明において、「正面側」、「背面側」、「右側面側」、「左側面側」、「上面側」、「下面側」とは、それぞれ、図２における正面、右側面及び上面を表す斜視図及び図３における背面、左側面及び下面を表す斜視図に相当する方向を表す。なお、以下、「幅」とは、正面及び背面方向の幅をいい、「長さ」とは、右側面及び左側面の長さをいう。
【００１９】
本実施形態にかかる取付具１００は、屋根設置部材の例としてソーラーパネル９（図４参照）を屋根材１に取り付ける取付具について説明する。特に、ハゼ２を有するハゼ式折板屋根であって、折板３の斜面部４に段差部５を有するタイプの屋根材１に取り付けるための取付具１００であり、主として、屋根に取り付けるための構成である一対のハゼ挟持部材１０と、一対の折板嵌合部材４０と、これらを固定する第１螺合部材９０（第１ボルト９０ａ、ワッシャー９０ｂ及びナット９０ｃ）と、屋根設置部材を取り付ける取付機構であるソーラーパネル載置板８０と、ソーラーパネル押圧部材８５と、ばね部材８９と、第２螺合部材９１（第２ボルト９１ａ、ワッシャー９１ｂ、ナット９１ｃ及びナット９１ｄ）と、を備えている。
【００２０】
ハゼ挟持部材１０は、図２又は図３に示すように、第１ハゼ挟持部材２０及び第２ハゼ挟持部材３０とからなり、ハゼ２の付根を固定する部位である。第１ハゼ挟持部材２０は、一枚の鉄板を折り曲げて作製されており、第１ハゼ上面２１と、第１ハゼ底面２２と、第１ハゼ正面２３と、第１ハゼ背面２４と、第１ハゼ左側面２５と、を有する。第１ハゼ上面２１は、矩形の平面板からなり、略中央に第２ボルト９１ａを横から挿入可能なように第１ハゼ上面ボルト用溝２１ａが設けられている。この第１ハゼ上面ボルト用溝２１ａに隣接して下面側へ折り曲げられたボルトの頭の回転を防止する第１ボルト回転抑止片２１ｂが設けられている。これにより、例えば、六角ボルトの頭が係止されて、上側からナットで締め付けた場合であっても六角ボルトが空転することを防止することができる。第１ハゼ底面２２は、水平又は右端部側がわずかに高くなるように傾斜されて設けられた第１ハゼ底面部２２ａとこの第１ハゼ底面部２２ａの右側端部に垂直又はわずかに右側に傾いて立設されたハゼ２を挟み込むための第１ハゼ挟持部２２ｂが設けられている。第１ハゼ底面部２２ａをわずかに傾斜して設けたり、第１ハゼ挟持部２２ｂをわずかに右側に傾いて設けたりすることにより、ハゼ２をより強力に挟持することができる。第１ハゼ底面２２の幅は、第１ハゼ上面２１より長く形成され、第１ハゼ底面２２の長さは、第１ハゼ上面２１の左側端部から第１ハゼ上面２１の長さより短くあるように形成されている。第１ハゼ正面２３及び第１ハゼ背面２４は、それぞれ第１ハゼ上面２１の正面端部及び背面端部から垂直に第１ハゼ底面２２の長さと同じ長さの平面板が第１ハゼ上面２１と第１ハゼ底面２２との間に配設されている。また、第１ハゼ正面２３及び第１ハゼ背面２４は、それぞれ右端面側が開口したＵ字の第１ハゼ正面切欠部２３ａ及び第１ハゼ背面切欠部２４ａが設けられている。第１ハゼ左側面２５は、第１ハゼ上面２１、第１ハゼ底面２２、第１ハゼ正面２３及び第１ハゼ背面２４で囲われた部分を閉じるようにそれぞれ第１ハゼ上面２１、第１ハゼ底面２２、第１ハゼ正面２３及び第１ハゼ背面２４の左側端部に連設して設けられている。また、第１ハゼ左側面２５の中央には、水平に通す第２ボルト９１ａを貫通するための第１ハゼ左側面ボルト孔２５ａが設けられている。
【００２１】
第２ハゼ挟持部材３０は、図２又は図３に示すように、一枚の鉄板を折り曲げて作製されており、第２ハゼ上面３１と、第２ハゼ底面３２と、第２ハゼ正面３３と、第２ハゼ背面３４と、第２ハゼ右側面３５と、を有する。第２ハゼ上面３１は、矩形の平面板からなり、略中央に第２ボルト９１ａが挿入される第２ハゼ上面ボルト孔３１ａが設けられている。この第２ハゼ上面ボルト用溝３１ａに隣接して下面側へ折り曲げられたボルトの頭の回転を防止する第２ボルト回転抑止片３１ｂが設けられている。これにより、第１ボルト回転抑止片３１ａと相まって、例えば、六角ボルトの頭が係止されて、上側からナットで締め付けた場合であっても六角ボルトが空転することを防止することができる。第２ハゼ上面３１は、第２ハゼ底面３２と第１ハゼ挟持部材２０と第１ハゼ底面２２との高さ位置を同じにした場合に、第１ハゼ挟持部材２０の第１ハゼ上面２１に配置されるように第１ハゼ上面２１の板厚分高い位置に設けられる。第２ハゼ底面３２は、水平又は左端部側がわずかに高くなるように傾斜されて設けられた第２ハゼ底面部３２ａとこの第２ハゼ底面部３２ａの左側端部に垂直又はわずかに左側に傾いて立設されたハゼ２を挟み込むための第２ハゼ挟持部３２ｂが設けられている。第２ハゼ底面部３２ａをわずかに傾斜して設けたり、第２ハゼ挟持部３２ｂをわずかに傾いて設けたりすることにより、ハゼ２をより強力に挟持することができる。第２ハゼ底面３２の幅は、第２ハゼ上面３１より広く形成され、第２ハゼ底面３２の長さは、第２ハゼ上面３１の右側端部から第２ハゼ上面ボルト孔３１ａの中心までの距離とほぼ同じの長さに形成され、第２ハゼ上面３１より短く形成されている。第２ハゼ正面３３及び第２ハゼ背面３４は、それぞれ第２ハゼ上面３１の正面端部及び背面端部から垂直に第２ハゼ底面３２の長さと同じ長さの平面板が第２ハゼ上面３１と第２ハゼ底面３２との間に配設されている。また、第２ハゼ正面３３及び第２ハゼ背面３４は、それぞれ左端面側が開口したＵ字の第２ハゼ正面切欠部３３ａ及び第２ハゼ背面切欠部３４ａが設けられている。第２ハゼ右側面３５は、第２ハゼ上面３１、第２ハゼ底面３２、第２ハゼ正面３３及び第２ハゼ背面３４で囲われた部分を閉じるようにそれぞれ第２ハゼ上面３１、第２ハゼ底面３２、第２ハゼ正面３３及び第２ハゼ背面３４の右側端部に連設して設けられている。また、第２ハゼ右側面３５の中央には、水平に通す第１ボルト９０ａを貫通するための第２ハゼ右側面ボルト孔３５ａが設けられている。この第２ハゼ右側面ボルト孔３５ａは後述する第１折板嵌合部材４１の第１折板右側面ボルト孔４１ａと干渉しないように逃部３５ｂが設けられている。なお、ハゼ挟持部材１０には、適宜強度保持のためリブやビートを設けることができる。
【００２２】
折板嵌合部材４０は、第１折板嵌合部材５０及び第２折板嵌合部材６０とからなり、ハゼ挟持部材１０の外側に配置される。第１折板嵌合部材５０は、第１折板上面５１と、この第１折板上面５１の左側端部から底面方向に延設された第１折板垂直面５２と、この第１折板垂直面５２から斜め左側方向へ延設された第１折板斜面５３と、この第１折板斜面５３に対して右側面側下方方向へ屈曲して形成された第１折板嵌合板５４とを有する。第１折板上面５１は、第２ハゼ上面３１の上面に配置される板であり、幅は第２ハゼ上面３１と同一又はやや短い幅で形成されている。長さ方向は第１ハゼ上面２１より短く形成される。第１折板上面５１には、第２ボルト９１ａを挿入可能な第１折板上面ボルト用溝５１ａが形成される。第１折板垂直面５２は、第１ハゼ左側面２５に当接して固定される面であり、第２ハゼ上面３１に第１折板上面５１が載置された状態で第１折板垂直面５２の下端が第１ハゼ左側面２５より上方に位置するように形成される。また、第１折板垂直面５２の中央には、水平に通す第１ボルト９０ａを貫通するための第１折板垂直面ボルト孔５２ａが設けられている。第１折板斜面５３は、図１に示すように、折板３の斜面部４に沿って形成される面であり、折板３の段差部５まで延設される。第１折板垂直面５２及び第１折板斜面５３は、第２ボルト９１ａで閉め込む前の状態では、図５に示すように、それぞれ第１ハゼ左側面２５及び折板３の斜面部４に対して若干浮くように形成される。第１折板嵌合板５４は第１折板斜面５３から屈曲形成されて段差部５に引っ掛けるように嵌合される部分であり、段差部５の深さαより若干短く形成される。
【００２３】
第２折板嵌合部材６０は、第２折板上面６１と、この第２折板上面６１の右側端部から底面方向に延設された第２折板垂直面６２と、この第２折板垂直面６２から水平方向右側延設される第２折板水平面６３と、この第２折板水平面６３から斜め右側方向へ延設された第２折板斜面６４と、この第２折板斜面６４に対して左側面側下方方向へ屈曲して形成された第２折板嵌合板６５とを有する。第２折板上面６１は、第１折板上面５１の上面に配置される板であり、幅は第１折板上面５１と同じ長さに形成されている。長さ方向は第１ハゼ上面２１より短く形成される。第２折板上面６１には、第２ボルト９１ａを挿入可能であってかつ、左右側面方向に移動可能なよう長孔で形成された第２折板上面ボルト用長孔６１ａが形成される。第２折板垂直面６２は、第２ハゼ右側面３５に当接して固定される面であり、第１折板上面５１に第２折板上面６１が載置された状態で第２折板垂直面６２の下端が折板３まで延設されている。また、第２折板垂直面６２の中央には、水平に通す第２ボルト９１ａを貫通するための第２折板垂直面ボルト孔６２ａが設けられている。この第２折板垂直面ボルト孔６２ａの周囲は、雄部材である第１ボルト９０ａの頭が挿入されて仮固定されるように第１ボルト９０ａの頭の形状と同一形状に約１ｍｍ程度凹んだ凹部６２ｂが設けられている。第２折板水平面６３は、折板３の水平面６に沿って形成される面である。第２折板斜面６４は、図１に示すように、折板３の斜面部４に沿って形成される面であり、折板３の段差部５まで延設される。第２折板嵌合板６５は第２折板斜面６４から屈曲形成されて段差部５に引っ掛けるように嵌合される部分であり、段差部５の深さβより若干短く形成される。なお、折板嵌合部材４０には、適宜強度保持のためリブやビートを設けることができる。
【００２４】
第１螺合部材９０は、水平方向に一対のハゼ挟持部材１０と、一対の折板嵌合部材４０を固定する部材であり、第１ボルト９０ａ、ワッシャー９０ｂ及びナット９０ｃを備えている。第２螺合部材９１は、垂直方向に、一対のハゼ挟持部材１０と、一対の折板嵌合部材４０、ソーラーパネル載置板８０、ソーラーパネル９及びソーラーパネル押圧部材８５を固定する部材であり、第２ボルト９１ａ、ワッシャー９１ｂ、ナット９１ｃ、ナット９１ｄと、を備えている。
【００２５】
ソーラーパネル載置板８０は、ソーラーパネル９の縁を下面側から支える板である。ソーラーパネル載置板８０は、単なる平面板であってもよく、ソーラーパネル９の下面側を支持可能であれば、特にその構成を限定するものではない。中央には、第２ボルト９１ａが挿入されるパネル貫通孔８０ａが設けられている。好ましくは、ハゼ挟持部材１０と、折板嵌合部材４０を雨から防護するために、これらを覆うことができるように形成するとよい。また、図２に示すように端面に下方へ折れた下方折部８１を設けることで雨の流れをこの下方折部８１を伝って流すことでき、直接雨水がハゼ挟持部材１０と、折板嵌合部材４０に直接雨が流れて、錆が発生することを防止することができる。また、ソーラーパネル載置板８０は、図２に示すように、一部突起を設けたり、一部切欠片を設けて立ち上げた突起又は爪８２を設けたりしてソーラーパネル９の一部に点で当接する部位を設けてアースの機能を設けても良い。
【００２６】
ソーラーパネル押圧部材８５と、ソーラーパネル９を上面から押圧して固定する部材である。ソーラーパネル押圧部材８５は、押圧部底面８６とこの押圧部底面８６の両側から垂直に立設する一対の押圧部立設面８７と、それぞれの押圧部立設面８７から外方に水平方向へ延設された押圧部水平面８８を有する。押圧部底面８６には、略中央に第２ボルト９１ａが貫通される押圧部貫通孔８６ａが設けられている。
【００２７】
ばね部材８９は、通常のつるまきばねである。
【００２８】
以上のように構成された取付具１００は、以下のようにして屋根材１に取り付けられる。以下に示す取り付け方法は一例を示すものであり、この取り付け方法に限定されるものではない。まず、第１ハゼ挟持部材２０、第２ハゼ挟持部材３０、第１折板嵌合部材５０及び第２折板嵌合部材６０を下方から第１ハゼ上面２１、第２ハゼ上面３１、第１折板上面５１及び第２折板上面６１の順となるように上面すべて重ね、それぞれ第１ハゼ上面ボルト用溝２１ａ、第２ハゼ上面ボルト孔３１ａ、第１折板上面ボルト用溝５１ａ及び第２折板上面ボルト用長孔６１ａを重ねあわせた状態で第２ボルト９１ａを挿入し、ソーラーパネル載置板８０を配置した後、ワッシャー９１ｂを介してナット９１ｄで仮止めする。この際にナット９１ｃは外れない程度に先端に仮止めする程度でよい。次に、第１ボルト９０ａを第２折板垂直面ボルト孔６２ａ、第２ハゼ右側面ボルト孔３５ａ、第１ハゼ左側面ボルト孔２５ａ、第１折板垂直面ボルト孔５２ａ及びワッシャー９０ｂの順に通し、ナット９０ｃを嵌める。この際にナット９０ｃは外れない程度に先端に仮止めする程度でよい。この際に、ナット９０ｃをボルト９０ａの先端に外れない程度に取り付けた状態（図５参照）で、第１ハゼ挟持部材２０及び第２ハゼ挟持部材３０を広げた状態でハゼの上方からハゼを挿入可能であり、かつ第１折板嵌合部材５０及び第２折板嵌合部材６０が屋根１の両側の段差部５間を上面からはめ込めることができ、さらに、第１ハゼ挟持部材２０、第２ハゼ挟持部材３０、第１折板嵌合部材５０及び第２折板嵌合部材６０が外れて脱落しないように形成される。
【００２９】
次に、屋根材１のハゼ２に取付具１００を固定する。第２ボルト９１ａとナット９１ｃはまだ緩んでいる状態であるので、第１ハゼ挟持部材２０及び第２ハゼ挟持部材３０左右に広げれば、ハゼ２を第１ハゼ挟持部材２０の第１ハゼ挟持部２ｂ及び第２ハゼ挟持部材３０の第２ハゼ挟持部３２ｂの間から第１ハゼ正面切欠部２３ａ及び第２ハゼ正面切欠部３３ａの間、並びに第１ハゼ背面切欠部２４ａ及び第２ハゼ背面切欠部３４ａの間に容易に挿入することができる。なお、それぞれの切欠部（２３ａ、３３ａ、２４ａ、３４ａ）がハゼ２に対して大きく形成されており、第１ハゼ挟持部材２０及び第２ハゼ挟持部材３０は低く形成されているため、角ハゼ、丸ハゼ等種々の形状のハゼ２に対応することができる。ハゼ２を挿入後、第１ボルト９０ａとナット９０ｃを締め付けることによって取付具１００は、第１ハゼ挟持部材２０及び第２ハゼ挟持部材３０によってハゼ２に固定され、さらに、第１折板嵌合部材５０及び第２折板嵌合部材６０によって段差部５を強固に挟み込むことによって強固に屋根材１に固定される。この際に、第１折板嵌合部材５０は、第１折板垂直面５２及び第１折板斜面５３は、第１ボルト９０ａで閉め込む前の状態では、図５に示すように、それぞれ第１ハゼ左側面２５及び折板３の斜面部４に対して若干浮くように離間して形成されているので、第１ボルト９０ａ及びナット９０ｃを締め込むことによって、第１折板嵌合部材５０の板材の剛性により第１折板嵌合部材５０の第１折板嵌合板５４と、第２折板嵌合部材６０の第２折板嵌合板６５は、互いに強く中央に引きつけ合うことになり、段差部５に確実に固定されることになる。また、第１ボルト９０ａ及びナット９０ｃを締め付ける際には、第１ボルト９０ａの頭が凹部６５ｂに嵌り込むため、第１ボルト９０ａ側はスパナ等で何ら固定することなくナット９０ｃを回転させることで締め付けることができる。これにより、屋根の上という作業のしづらい場所であっても、容易に取付具１００を固定することができる。取付具１００がハゼ２に固定されたら、ナット９１ｄも強固に締め付ける。
【００３０】
次に屋根材１に固定された取付具１００に対してソーラーパネル９を取り付ける。まず、延出された第２ボルト９１ａに取り付けられたソーラーパネル載置板８０にソーラーパネル９を載置し、ソーラーパネル押圧部材８５を取り付けた後、ナット９１ｃで仮固定する。ソーラーパネル９をソーラーパネル載置板８０とソーラーパネル押圧部材８５の間に配置する。この際に、第１螺合部材９０が緩んでいる状態であったとしても、ばね部材８９が取り付けられているので、ソーラーパネル載置板８０とソーラーパネル押圧部材８５が必要以上にガタついたり、斜めになることがなく、図５のように水平状態を維持しているため、容易にソーラーパネル９を配置することができる。そして、第１螺合部材９０を締め付けることによって、図４に示すようにソーラーパネル９は固定される。
【００３１】
こうしてソーラーパネル９が固定された取付具１００によれば、上面側は、第１ハゼ上面２１、第２ハゼ上面３１、第１折板上面５１及び第２折板上面６１と４枚重ねてあるので、上方からの圧力に対する強度を向上させることができる。また、ソーラーパネル載置板８０には、爪８２が設けてあるので、金属の部分が当接してアース部の役割を果たすことができる。また、ばね部材８９が取り付けてあるので、ナット９１ｃを緩みづらくすることができる。また、ばね部材８９を設けることで、屋根が傾いている場合であっても多少の振り子の調整がしやすいとの効果をも有する。さらに、ばね部材８９があることで、地震にも強いものとなる。また、ソーラーパネル９をソーラーパネル押圧部材８５の片側にのみ設けた場合であっても、図７のように、ソーラーパネル押圧部材８５が傾くことが防止されるので、片側専用のソーラーパネル押圧部材８５を作製することなく、１種類のソーラーパネル押圧部材８５でソーラーパネル９を固定することができる。
【００３２】
また、実施形態にかかる取付具１００によれば、図８に示すように、ソーラーパネル載置板８０及び前記ソーラーパネル９を上面から押圧するソーラーパネル押圧部材８５を取り外せば、第２螺合部材９１を利用して、その他の屋根設置部材を取り付けることができる。この場合、取付機構は、第２ボルト９１ａとナット９１ｃからなる第２螺合部材となる。例えば、屋根に取り付けられた２つの取付具１００の第２螺合部材９１を利用して架設部材８を取り付けることもできる。屋根設置部材が多少重量物であったとしても、４つの重ねられた上面を有することに加え、折板嵌合部材４０は折板３の斜面部に配置しているで、上からの荷重を折板３の上面に加え斜面でも支持できるので、屋根材１の上により強力に固定されているので、確実に固定することができる。
【００３３】
上記実施形態にかかる取付具１００を屋根材１に取り付けて荷重試験及び引っ張り試験を行った結果、荷重試験においては、７．６０ｋＮの荷重を加えても何ら問題はなかった。引張試験においては、５．０３ｋＮの引張強さにおいても何ら問題はなかった。
【００３４】
なお、本発明は上述した実施形態に何ら限定されることはなく、本発明の技術的範囲に属する限り種々の態様で実施し得る。
【００３５】
本実施形態において、凹部６５ｂは、第２折板嵌合部材６０に設けるものとしたが、第１折板嵌合部材５０側に設けてもよい。
【産業上の利用可能性】
【００３６】
上述した実施形態で示すように、ソーラーパネルを取り付けるための取付具として、産業上利用可能である。
【符号の説明】
【００３７】
９…ソーラーパネル、１０…ハゼ挟持部材、２０…第１ハゼ挟持部材、２１…第１ハゼ上面、２１ａ…第１ハゼ上面ボルト用溝、２２…第１ハゼ底面、２２ａ…第１ハゼ底面部、２２ｂ…第１ハゼ挟持部、２３…第１ハゼ正面、２３ａ…第１ハゼ正面切欠部、２４…第１ハゼ背面、２４ａ…第１ハゼ背面切欠部、２５…第１ハゼ左側面、２５ａ…第１ハゼ左側面ボルト孔、３０…第２ハゼ挟持部材、３１…第２ハゼ上面、３１ａ…第２ハゼ上面ボルト孔、３２…第２ハゼ底面、３２ａ…第２ハゼ底面部、３２ｂ…第２ハゼ挟持部、３３…第２ハゼ正面、３３ａ…第２ハゼ正面切欠部、３４…第２ハゼ背面、３４ａ…第２ハゼ背面切欠部、３５…第２ハゼ右側面、３５ａ…第２ハゼ右側面ボルト孔、３５ｂ…逃部、４０…折板嵌合部材、４１…第１折板嵌合部材、４１ａ…第１折板右側面ボルト孔、５０…第１折板嵌合部材、５１…第１折板上面、５１ａ…第１折板上面ボルト用溝、５２…第１折板垂直面、５２ａ…第１折板垂直面ボルト孔、５３…第１折板斜面、５４…第１折板嵌合板、６０…第２折板嵌合部材、６１…第２折板上面、６１ａ…第２折板上面ボルト用長孔、６２…第２折板垂直面、６２ａ…第２折板垂直面ボルト孔、６２ｂ…凹部、６３…第２折板水平面、６４…第２折板斜面、６５…第２折板嵌合板、６５ｂ…凹部、８０…ソーラーパネル載置板、８０ａ…パネル貫通孔、８１…下方折部、８２…爪、８５…ソーラーパネル押圧部材、８６…押圧部底面、８６ａ…押圧部貫通孔、８７…押圧部立設面、８８…押圧部水平面、８９…ばね部材、９０…第１螺合部材、９０ａ…第１ボルト、９０ｂ…ワッシャー、９０ｃ…ナット、９１…第２螺合部材、９１ａ…第２ボルト、９１ｂ…ワッシャー、９１ｃ…ナット、９１ｄ…ナット、１００…取付具
【図１】
2015209676.tif 000003
【図２】
2015209676.tif 000004
【図３】
2015209676.tif 000005
【図４】
2015209676.tif 000006
【図５】
2015209676.tif 000007
【図６】
2015209676.tif 000008
【図７】
2015209676.tif 000009
【図８】
2015209676.tif 000010